(57)【要約】【課題】ビス頭等が見えることがなく、しかも棚板の手前側を張り出して使用した場合であっても棚板の後端側が浮き上がることのないようにする。【解決手段】壁面４に取り付けた棚板支持部材（スイッチボックス２及びブラケット３）と、該棚板支持部材２及び３に載設され、手前側が棚板支持部材２及び３から張り出す棚板１と、壁面に取り付けた上方部材（鏡固定部材７）とを備え、上方部材７と棚板支持部材２及び３とで棚板１の壁面側を挟み込むようにする。これにより、棚板１の手前側へ張り出した部分に物を載置したとしても棚板１の後端側（壁面寄り）が浮き上がるということはない。【選択図】  図１
2005192842.tif 000002
【特許請求の範囲】
【請求項１】
壁面に取り付けた棚板支持部材と、該棚板支持部材に載設され、手前側が棚板支持部材から張り出す棚板と、壁面に取り付けた上方部材とを備え、上方部材と棚板支持部材とで棚板の壁面側を挟み込むようにしたことを特徴とする棚板の取付構造。
【請求項２】
壁面に取り付けた棚板支持部材と、該棚板支持部材に載設された棚板と、壁面に取り付けた上方部材と、棚板の壁面側に配置されて棚板支持部材に連結する連結具とを備え、前記上方部材と棚板支持部材とで棚板の壁面側を挟み込んで前記連結具を覆い隠すようにしたことを特徴とする棚板の取付構造。
【請求項３】
壁面に取り付けた棚板支持部材と、該棚板支持部材に載設された棚板と、壁面に取り付けた上方部材とを備え、該上方部材と棚板支持部材とで棚板の壁面側を挟み込むと共に、棚板上面の壁面寄りに設けた凹溝に、上方部材の手前側の係合片を係止するようにしたことを特徴とする棚板の取付構造。
【請求項４】
上方部材が鏡の下端部を支持する鏡固定部材である請求項１〜３のいずれか一つに記載の棚板の取付構造。
【発明の詳細な説明】
【技術分野】
【０００１】
本発明は、洗面室や洗面化粧台等に用いられる棚板の取付構造に関するものであり、壁面に取り付けた棚板支持部材と上方部材とで棚板の壁面寄りを挟持するようにした技術に関するものである。
【背景技術】
【０００２】
洗面室や洗面化粧台に棚板を設置する技術としては、特許文献１に示すように、両側板の対向する面に、ダボ孔を穿設し、これにピンを差し込み、ピンの上に棚板を載置する方法がよく知られている。また壁面等にＬ字状のブラケットをビス固定し、該ブラケットに棚板を取り付ける方法も一般的である。
一方、棚板に対して何らかの部材を立設する技術として、特許文献１に示すように、棚板の前後端面に止め具を配設し、該止め具を貫通して棚板上面に設けたピン孔へ連結ピンを差し込むことで、止め具を固定し、更に該止め具に設けた凹溝に化粧板や背板等の端面を差し込むことで棚板から化粧板や背板を立設するようにしている。
【０００３】
また洗面化粧台において、鏡を固定する技術としては、特許文献２に示すように、断面Ｆ字状の取付具を用いるものが知られている。この特許文献２では、天板上の壁面よりに断面Ｆ字状の取付具を配設し、これをビスで天板上へ固定し、鏡の下端を取付具で支持するようにしている。そして、水密性及び意匠性を考慮してこれらの取付具及びビス頭を隠すために、カバーを取り付けている。
【特許文献１】実開昭６２−１７１９４５号公報
【特許文献２】実開昭５３−８０５９９号公報
【発明の開示】
【発明が解決しようとする課題】
【０００４】
特許文献１及び２の技術では、ビス及び連結ピンを用いて化粧板，背板及び鏡を固定するための部材を棚板等へ取り付けており、そのままではビス頭及び連結ピンが露呈し、ビスキャップを被せても見栄えが悪いという問題がある。そのため、特許文献２ではカバーを取り付けるようにしている。
また特許文献１に示す棚板の取付構造では、棚板の前端側を手前側へ張り出して使用すると、棚板の手前側に荷重がかかり、棚板の後端側が浮き上がって危険である。そのため、特許文献１では棚板の手前側へ張り出して使用することは実際上できなかった。
【０００５】
本発明は従来の前記課題に鑑みてこれを改良除去したものであって、ビス頭等が見えることがなく、しかも棚板の手前側を張り出して使用した場合であっても棚板の後端側が浮き上がることのない棚板の取付構造を提供せんとするものである。
【課題を解決するための手段】
【０００６】
而して、前記課題を解決するために本発明が採用した請求項１の手段は、壁面に取り付けた棚板支持部材と、該棚板支持部材に載設され、手前側が棚板支持部材から張り出す棚板と、壁面に取り付けた上方部材とを備え、上方部材と棚板支持部材とで棚板の壁面側を挟み込むようにしたことを特徴とする棚板の取付構造である。
【０００７】
本発明が採用した請求項２の手段は、壁面に取り付けた棚板支持部材と、該棚板支持部材に載設された棚板と、壁面に取り付けた上方部材と、棚板の壁面側に配置されて棚板支持部材に連結する連結具とを備え、前記上方部材と棚板支持部材とで棚板の壁面側を挟み込んで前記連結具を覆い隠すようにしたことを特徴とする棚板の取付構造である。
【０００８】
本発明が採用した請求項３の手段は、壁面に取り付けた棚板支持部材と、該棚板支持部材に載設された棚板と、壁面に取り付けた上方部材とを備え、該上方部材と棚板支持部材とで棚板の壁面側を挟み込むと共に、棚板上面の壁面寄りに設けた凹溝に、上方部材の手前側の係合片を係止するようにしたことを特徴とする棚板の取付構造である。
【０００９】
本発明が採用した請求項４の手段は、上方部材が鏡の下端部を支持する鏡固定部材である請求項１〜３のいずれか一つに記載の棚板の取付構造である。
【発明の効果】
【００１０】
請求項１の発明にあっては、棚板支持部材と上方部材とで棚板の壁面側を挟み込んでいる。棚板支持部材と上方部材は、それぞれ壁面へ取り付けられており、棚板の手前側へ張り出した部分に物を載置したとしても棚板の後端側（壁面寄り）が浮き上がるということはない。
【００１１】
また請求項２の発明にあっては、棚板支持部材と上方部材とで棚板の壁面側を挟み込むと共に、ビス等の連結具で棚板を棚板支持部材へ連結している。これにより、棚板がリジッドに棚板支持部材へ連結固定されることになる。またビス等の連結具は、上方部材により覆い隠すことができ、外観上の見栄えも良好である。その他の作用効果は、前記請求項１の発明と同じである。
【００１２】
請求項３の発明にあっては、棚板支持部材と上方部材とで棚板の壁面側を挟み込むと共に、棚板上面の壁面寄りに設けた凹溝に、上方部材の手前側の係合片を係止するようにしたから、棚板を挟み込むことにより、その浮き上がり防止を実現できる。また棚板上面の凹溝に上方部材の手前側の係合片を差し込むことで、棚板の前後方向の移動を抑制することも可能である。
【００１３】
請求項４の発明にあっては、上方部材が鏡の下端部を支持する鏡固定部材である。従って、鏡の下端部を支持するための部材を別途、必要とせず、棚板の上面側を挟持する部材との兼用が可能である。
【発明を実施するための最良の形態】
【００１４】
以下に、本発明の構成を図面に示す発明の実施の形態に基づいて説明すると次の通りである。図１及び図２は本発明の第１の実施の形態に係るものであり、図１は棚板１の一端側の下方を支持する棚板支持部材としてのスイッチボックス２を示す縦断面側面図、図２は棚板１の他端側の下方を支持する棚板支持部材としてのブラケット３を示す縦断面側面図である。図１に示す如く、スイッチボックス２は、壁面４に対して図示しないビス等で固定されている。このスイッチボックス２は、洗面化粧台における照明やミラーの曇り止めヒータ、差し込みコンセント、温水ヒータ、その他の洗面化粧台に付属する電気設備等の電源スイッチの管理を行うためのものである。一方、ブラケット３は、図２に示すように、補強木５を介して壁面３へ図示しないビス等で固定されている。なお、補強木５は、スイッチボックス２の設けられていない領域で、且つ棚板１を設置する部分の略全範囲に及んで設けられている。同図において、符号６はブラケット３を補強木４へ固定するためのビスである。
【００１５】
前記スイッチボックス２の上面側壁面寄りと、補強木５の上面側壁面寄りとには、スイッチボックス２と補強木４との全体に跨がって上方部材としての鏡固定部材７が配設されており、ビス８を介して壁面３に固定されている。鏡固定部材７は、鏡９の下端部を嵌合装着するための凹溝１０を有し、凹溝１０を形成する前端側の上端縁は水平方向へ延出され、水平挟持片１１となっている。
【００１６】
図１に示すように、棚板１は、その一端側をスイッチボックス２の上面に載置され、その後端側をビス１２によってスイッチボックス２に固定されている。また棚板１は、その手前側がオーバーハング状にスイッチボックス２から張り出して設けられるだけの奥行き寸法を有しており、多くの物が載置できるようになっている。棚板１の中間部及び手前側の下面は、必要に応じて両面粘着テープ等（図示せず）により、スイッチボックス２の上面側に貼着されている。更に、この棚板１の後端側は、前記上方部材としての鏡固定部材７の水平挟持片１１と、スイッチボックス２の上面との間に嵌合装着され、棚板１の後端側を止着するビス１２の頭が、水平挟持片１１によって覆い尽くされるようになっている。つまり、ビス１２の頭は、外部から直接見えることがない。
【００１７】
一方、棚板１の他端側は、図２に示すように、ブラケット３の上面に載置され、その後端側をビス１２によってブラケット３に固定されている。棚板１の中間部は、両面粘着テープ１３等により、ブラケット３の上面に貼着されている。またブラケット３における棚板１の後端側も、上方部材としての鏡固定部材６の水平挟持片１１とブラケット３の上面との間に嵌合装着され、ビス１２の頭が、水平挟持片１１によって覆わされることによって外部から直接見えないようになされている。
【００１８】
そして、前記鏡固定部材６の凹溝９には、スポンジテープ等の緩衝材１４を介して鏡８の下端部が嵌合装着されている。従って、別途に専用の鏡固定部材を製作準備する必要がなく、極めて便利である。
【００１９】
このように本実施の形態にあっては、棚板支持部材としてのスイッチボックス２及びブラケット３で、棚板１のそれぞれ左右両端側の一方を支持した上、上方部材としての鏡固定部材７の水平挟持片１１との間で、棚板１の後端側を挟持しており、棚板１の後端側の浮き上がりを防止できるので、棚板１の手前側に荷重の大きい物を載置した場合であっても、棚板１がひっくり返って脱落なる等の虞はない。またビス１２の頭を鏡固定部材７の水平挟持片１１で隠蔽することができ、更には専用の鏡固定部材が不要であるという利点を有している。
【００２０】
図３は、本発明の第２の実施の形態に係る棚板１の取付構造を示す縦断面側面図である。同図に示す如く、この実施の形態にあっては、棚板１の後部上面側に凹溝を形成し、該凹溝に、鏡固定部材７の水平挟持片１１の先端を折り曲げて形成した係合片１５を差し込んで装着している。棚板１の中間部及び手前側の下面は、図示しない両面粘着テープ等により、スイッチボックス２の上面側に貼着されている。なお、棚板１の一端側の下方の支持を図３に示す要領で行い、他端側については図２のブラケット３に係合片１５と嵌合する凹溝を設けて同じ要領で行うようにすればよい。
【００２１】
この第２の実施の形態の場合も、棚板支持部材としてのスイッチボックス２で、棚板１の下方を支持した上、上方部材としての鏡固定部材７の水平挟持片１１との間で、棚板１の後端側を挟持しており、棚板１の後端側の浮き上がりを防止できるので、棚板１の手前側に荷重の大きい物を載置した場合であっても、棚板１がひっくり返って脱落なる等の虞はない。また専用の鏡固定部材が不要であるという利点を有している。
【図面の簡単な説明】
【００２２】
【図１】本発明の第１の実施の形態に係るものであり、棚板の一端側の下方を支持する棚板支持部材としてのスイッチボックスを示す縦断面側面図である。
【図２】本発明の第１の実施の形態に係るものであり、棚板の他端側の下方を支持する棚板支持部材としてのブラケットを示す縦断面側面図である。
【図３】本発明の第２の実施の形態に係るものであり、棚板の下方を支持する棚板支持部材としてのスイッチボックスを示す縦断面側面図である。
【符号の説明】
【００２３】
１…棚板、２…棚板支持部材（スイッチボックス）、３…棚板支持部材（ブラケット）、４…壁面、５…補強木、６…ビス、７…上方支持部材（鏡固定部材）、８…ビス、９…鏡、１０…凹溝、１１…水平挟持片、１２…ビス、１３…粘着テープ、１４…緩衝材
【図１】
2005192842.tif 000003
【図２】
2005192842.tif 000004
【図３】
2005192842.tif 000005